(57)【要約】【課題】非力な者でも容易に携帯して移動することができるとともに、任意の場所で容易に理美容サービスを行うことができる可搬式洗髪器を提供する。【解決手段】可搬式洗髪器１０は、台車部１１Ａ及び着座部１１Ｂを備えた車いす構成体１１と、着座部における着座者の頭部に対応する上部位置に着脱可能に構成される洗髪用ボウル１２と、車いす構成体において台車部の背後に連結され、車いす構成体とともに移動可能に構成された連結台車部１３と、連結台車部に搭載可能に構成された給水タンク１４と、給水タンクから前記洗髪用ボウル内に向けて給水可能に構成される給水手段１６と、給水タンクと同時に連結台車部に搭載可能に構成された排水タンク１５と、洗髪用ボウル内から排水タンクに向けて排水可能に構成される排水手段１７とを具備する。【選択図】  図４
2020171678.tif 000002
【特許請求の範囲】
【請求項１】
車輪を備えた台車部及び該台車部上に形成された着座部を備えた車いす構成体と、
前記着座部における着座者の頭部に対応する上部位置に着脱可能に構成される洗髪用ボウルと、
前記車いす構成体において前記台車部の背後に連結され、前記車いす構成体とともに移動可能に構成された連結台車部と、
前記連結台車部に搭載可能に構成された給水タンクと、
前記給水タンクから前記洗髪用ボウル内に向けて給水可能に構成される給水手段と、
前記給水タンクと同時に前記連結台車部に搭載可能に構成された排水タンクと、
前記洗髪用ボウル内から前記排水タンクに向けて排水可能に構成される排水手段と、
を具備する可搬式洗髪器。
【請求項２】
前記車いす構成体における前記着座部の背後位置に設けられ、前記洗髪用ボウルを搭載可能に構成されたボウル搭載部をさらに具備する、
請求項１に記載の可搬式洗髪器。
【請求項３】
前記着座部は、後方へリクライニング可能に構成され、
前記洗髪用ボウルは、前記上部位置に装着された場合に前記着座部の後方へのリクライニング時において水受け可能な姿勢となるように構成される、
請求項１又は２に記載の可搬式洗髪器。
【請求項４】
前記排水手段は、前記洗髪用ボウルのボウル底面に形成された排水口に接続された排水用可撓性管を備え、前記排水用可撓性管の先端部は、前記排水タンクに接続可能に構成され、
前記洗髪用ボウルは、前記排水用可撓性管の前記先端部を保持可能な管保持手段をさらに備える、
請求項１−３のいずれか一項に記載の可搬式洗髪器。
【請求項５】
前記連結台車部は、前記台車部に対して車軸方向に平行な軸線周りに回転可能に連結される、
請求項１−４のいずれか一項に記載の可搬式洗髪器。
【請求項６】
前記連結台車部は、前記給水タンク及び前記排水タンクを搭載可能な状態で前記台車部とともに移動可能に構成される展開態様と、前記台車部の後方から前記着座部の背後に向けて持ち上げられた状態で保持された格納態様とを切替可能に構成される、
請求項１−５の何れか一項に記載の可搬式洗髪器。
【請求項７】
車輪を備えた台車部及び該台車部上に形成された着座部を備えた車いす構成体と、
前記着座部における着座者の頭部に対応する上部位置に着脱可能に構成される洗髪用ボウルと、
前記車いす構成体において前記台車部の背後に連結され、前記車いす構成体とともに移動可能に構成された連結台車部と、を具備し、
前記連結台車部は、前記台車部の後部に接続され、前記台車部の背後へ突出した支持範囲を構成する連結支持体を有する、
可搬式洗髪器。
【請求項８】
前記連結支持体は、前記支持範囲を拡大して物品を搭載可能な状態で前記台車部とともに移動可能に構成される展開態様と、前記支持範囲を縮小した格納態様とを切替可能に構成される、
請求項７に記載の可搬式洗髪器。
【請求項９】
前記連結支持体は、前記展開態様では、後方へスライドすることにより前記支持範囲が後方へ拡大され、前記格納態様では、前方へスライドすることにより前記支持範囲が前方へ縮小される、
請求項８に記載の可搬式洗髪器。
【請求項１０】
前記連結支持体は、前記台車部に対して着脱可能に構成される、
請求項７〜９のいずれか一項に記載の可搬式洗髪器。
【請求項１１】
前記着座部は、後方へリクライニング可能に構成され、
前記洗髪用ボウルを前記着座部に対して取り付ける取付機構を有し、
前記取付機構は、前記洗髪用ボウルの位置及び姿勢を変更可能かつ位置決め可能に構成する、
請求項７〜１０のいずれか一項に記載の可搬式洗髪器。
【発明の詳細な説明】
【技術分野】
【０００１】
本発明は可搬式洗髪器に関する。
【背景技術】
【０００２】
従来から、在宅介護に対応するために自宅を訪問して要介護者に対する理美容サービスを行ったり、病院や介護施設などで患者や要介護者等に対して理美容サービスを行なったりする場合がある。このような場合には、理美容サービスを行う者が患者や要介護者の居る場所に出向く必要があるため、上記場所に理美容サービスのための器具や洗髪器などを搬送しなければならない。
【０００３】
このような搬送に好適な可搬式洗髪器としては、例えば、本願発明者が先に発明した以下の特許文献１に記載のものが知られている。また、可搬式洗髪器としては、台車上に洗髪用ボウルを移動可能に取り付けた以下の特許文献２に記載のものなどが知られている。さらに、車いすを使用した人に洗髪を行うためのものとしては、以下の特許文献３や４に記載されたものもある。
【先行技術文献】
【特許文献】
【０００４】
【特許文献１】特許第４８８０５１５号公報
【特許文献２】特許第４２３７３５６号公報
【特許文献３】特許第３５１３４８０号公報
【特許文献４】特開２００６−３３４２１１号公報
【発明の概要】
【発明が解決しようとする課題】
【０００５】
病院や介護施設などで使用されるものとしては、大型の入力設備などがあるが、これらは購入費が高く、維持コストも必要になるため、気軽に導入することが難しいという問題がある。一方、上述のように車いすを利用するようにした比較的簡易な洗髪器では、費用面で有利であるだけではく、髪のカットなどを行った後にそのまま引き続いて用いることができるという利点がある。
【０００６】
しかしながら、上記の比較的簡易な洗髪器においても、車いすとは別体の或る程度の大きさを備えた洗髪器本体を搬送する必要があるので、小柄な女性などの非力な者が携帯して移動することは困難であり、また、洗髪器本体を傍らに配置する必要があることから、狭い病室などで理美容サービスを行うことが難しいという問題がある。
【０００７】
本発明は上記問題を解決するものであり、その課題は、非力な者でも容易に携帯して移動することができるとともに、任意の場所で容易に理美容サービスを行うことができる可搬式洗髪器を提供することにある。
【課題を解決するための手段】
【０００８】
上記課題を解決するために、本発明の可搬式洗髪器は、車輪を備えた台車部及び該台車部上に形成された着座部を備えた車いす構成体と、前記着座部における着座者の頭部に対応する上部位置に着脱可能に構成される洗髪用ボウルと、前記車いす構成体において前記台車部の背後に連結され、前記車いす構成体とともに移動可能に構成された連結台車部と、前記連結台車部に搭載可能に構成された給水タンクと、前記給水タンクから前記洗髪用ボウル内に向けて給水可能に構成される給水手段と、前記給水タンクと同時に前記連結台車部に搭載可能に構成された排水タンクと、前記洗髪用ボウル内から前記排水タンクに向けて排水可能に構成される排水手段と、を具備する。ここで、前記車いす構成体における前記着座部の背後位置に設けられ、前記洗髪用ボウルを搭載可能に構成されたボウル搭載部をさらに具備することが好ましい。
【０００９】
本発明によれば、洗髪用ボウルを搭載し、連結台車部に給水タンク及び排水タンクを搭載した状態で、車いす構成体の台車部を用いて通常と同様に移動可能に構成できる。また、洗髪用ボウルを着座部の上部位置に装着した状態で、連結台車部に搭載された給水タンクから給水手段により給水しつつ、排水手段により排水タンクへ排水することにより、車いす構成体に着座した者の洗髪を行うことができる。このように、本実施形態では、理美容サービスに必要な用具を搭載しつつ、容易に移動することができるとともに、車いす構成体に着座した状態で洗髪可能となるので、任意の場所で支障なく洗髪することができる。特に、着座部の背後に設けたボウル搭載部に洗髪用ボウルを搭載可能に構成すれば、車いす構造体の機能を何ら損なわずに移動可能になる。
【００１０】
本発明において、前記着座部は、後方へリクライニング可能に構成され、前記洗髪用ボウルは、前記上部位置に装着された場合に前記着座部の後方へのリクライニング時において水受け可能な姿勢となるように構成されることが好ましい。これによれば、着座部を後方へリクライニングさせると、洗髪用ボウルを水受け可能な水平姿勢に構成できるので、着座者を後方へリクライニングさせるだけで容易に洗髪することができる。
【００１１】
本発明において、前記排水手段は、前記洗用髪ボウルのボウル底面に形成された排水口に接続された排水用可撓性管を備え、前記排水用可撓性管の先端部は、前記排水タンクに接続可能に構成され、前記洗髪用ボウルは、前記排水用可撓性管の前記先端部を保持可能な管保持手段をさらに備えることが好ましい。これによれば、洗髪用ボウルの排水口に接続された排水用可撓性管の先端部を管保持手段により洗髪用ボウルに保持することができるので、排水用可撓性管を排水タンクから分離し、洗髪用ボウルに一時的に保持した状態とすることができるため、洗髪用ボウルの着脱作業時や排水タンクの交換時等において排水用可撓性管の取り扱いを容易化できる。
【００１２】
本発明において、前記連結台車部は、前記台車部に対して車軸方向に平行な軸線周りに回転可能に連結されることが好ましい。これによれば、車いす構造体の移動特性に影響を与えずにタンク類を搬送することができる。また、前記連結台車部は、前記給水タンク及び前記排水タンクを搭載可能な状態で前記台車部とともに移動可能に構成される展開態様と、前記台車部の後方から前記着座部の背後に向けて持ち上げられた状態で保持された格納態様とを切替可能に構成されることが好ましい。これによれば、洗髪用ボウル並びに給水タンク及び排水タンクを取り外すとともに、連結台車部を格納態様とすることにより、車いす構成体を通常の車いすとして用いることも可能になる。
【００１３】
なお、前記台車部には、電動モータなどの前記車輪を駆動する駆動源が設けられることが好ましい。また、この駆動源若しくは別の駆動源により、前記着座部のリクライニング動作が可能となるように構成されることが望ましい。
【００１４】
本発明において、前記着座部の前記背後位置には、前記ボウル搭載部とともに、前記給水手段を構成する給水用可撓性管及びこれに接続された給水ヘッドを保持する給水手段保持部、はさみやドライヤー等の理美容サービス用具を保持する用具保持部をさらに設けることが好ましい。
【００１５】
次に、本発明の可搬式洗髪器は、車輪を備えた台車部及び該台車部上に形成された着座部を備えた車いす構成体と、前記着座部における着座者の頭部に対応する上部位置に着脱可能に構成される洗髪用ボウルと、前記車いす構成体において前記台車部の背後に連結され、前記車いす構成体とともに移動可能に構成された連結台車部と、を具備し、前記連結台車部は、前記台車部の後部に接続され、前記台車部の背後へ突出した支持範囲を構成する連結支持体を有する可搬式洗髪器である。
【００１６】
本発明において、前記連結支持体は、前記支持範囲を拡大して物品を搭載可能な状態で前記台車部とともに移動可能に構成される展開態様と、前記支持範囲を縮小した格納態様とを切替可能に構成されることが好ましい。この場合において、前記連結支持体は、前記展開態様では、後方へスライドすることにより前記支持範囲が後方へ拡大され、前記格納態様では、前方へスライドすることにより前記支持範囲が前方へ縮小されることが望ましい。また、前記連結支持体は、前記台車部に対して着脱可能に構成されることが好ましい。
【００１７】
本発明において、前記着座部は、後方へリクライニング可能に構成され、前記洗髪用ボウルを前記着座部に対して取り付ける取付機構を有し、前記取付機構は、前記洗髪用ボウルの位置及び姿勢を変更可能かつ位置決め可能に構成することが好ましい。例えば、前記取付機構は、前記着座部に形成された着座背部に沿った方向と、該方向に対して前後方向へ交差する方向とにそれぞれ移動可能かつ位置決め可能に構成されるとともに、前記上部位置において上下方向に首振り可能かつ位置決め可能に構成されることが望ましい。ここで、前記着座部は、少なくとも前記着座背部が後方へリクライニング可能かつ位置決め可能に構成されることが望ましい。
【発明の効果】
【００１８】
この発明によれば、非力な者でも容易に携帯して移動することができるとともに、任意の場所で容易に理美容サービスを行うことができる可搬式洗髪器を提供することができる。
【図面の簡単な説明】
【００１９】
【図１】本発明に係る可搬式洗髪器の第１実施形態の車いす構成体の側面図である。
【図２】同車いす構成体の正面図である。
【図３】同車いす構成体の背面図である。
【図４】上記実施形態の着座部の背後位置に洗髪用ボウルを搭載し、連結台車部上に給水タンク及び排水タンクを搭載した様子を示す側面図である。
【図５】図４の背面図である。
【図６】上部位置に洗髪用ボウルを装着し、着座部をリクライニングすることにより、洗髪可能な状態とした様子を示す側面図である。
【図７】本発明に係る可搬式洗髪器の第２実施形態の構造を示す側面図（ａ）及び台車下部の支持構造を示す平面図（ｂ）である。
【発明を実施するための形態】
【００２０】
次に、添付図面を参照して本発明の実施形態について詳細に説明する。最初に、図１−図５を参照して、本発明に係る第１実施形態の可搬式洗髪器１０の全体構成について説明する。ここで、図１−図３は、実施形態から洗髪用ボウル１２と給水タンク１４及び排水タンク１５を給水手段１６及び排水手段１７とともに取り外した様子（すなわち、車いす構成体１１と連結台車部１３のみ）を示し、図４及び図５は、車いす構成体１１と連結台車部１３に対して、洗髪用ボウル１２と給水タンク１４及び排水タンク１５を給水手段１６及び排水手段１７とともに搭載した様子を示す。
【００２１】
この可搬式洗髪器１０において、車いす構成体１１は、台車部１１Ａと、この台車部１１Ａ上に搭載された着座部１１Ｂとを備える。台車部１１Ａは、台車フレーム１１１に左右一対の主車輪１１２ａと、左右一対の補助車輪１１２ｂとを備えた構成を有する。図示例の場合、台車部１１Ａは制御部１１３を有し、この制御部１１３により制御される電動モータなどの駆動源１１３ａを内蔵する。この駆動源１１３ａによって上記主車輪１１２ａが駆動され、これによって車いす構成体１１を前後に駆動することができる。なお、台車部１１Ａの制御部１１３は、操作部１１Ｃに対する操作に応じて、駆動源１１３ａを制御し、一対の主車輪１１２ａの駆動量や回転方向を個々に設定することにより、車いす構成体１１を前後左右のいずれの方向にも移動可能となるように構成している。また、この制御部１１３には、電力等のエネルギーを外部から受け入れるための入力コンセント１１４と、電力等のエネルギーを外部へ供給するための出力コンセント１１５とが設けられる。ここで、出力コンセント１１５は、入力コンセント１１４が外部電源に接続されたときに、ドライヤー３やポンプスイッチ４などに電力を供給できるように構成される。
【００２２】
なお、フレーム１１１には、サスペンション１１１ａが接続される。また、フレーム１１１の後部の上面には、後述する洗髪用ボウル１２を搭載するための広幅コ字状の支持枠１１１ｂが取り付けられている。図示例では、支持枠１１１ｂは、後方に向けて斜め上方へ突出する枠状構造を備える。この支持枠１１１ｂは、着座部１１Ｂの背後位置においてボウル搭載部を構成する。
【００２３】
着座部１１Ｂは着座底部１１６と着座背部１１７とを備え、着座底部１１６と着座背部１１７との間に接続されたアーム支持部１１８をさらに備える。着座底部１１６に対して着座背部１１７はリクライニング機構１１９により後方へリクライニング可能に構成される。リクライニング機構１１９は上記制御部１１３により制御されることにより、操作部１１Ｃの操作に応じて着座底部１１６のフレーム１１６ａに対して着座背部１１７のフレーム１１７ａの角度を調整し、着座背部１１７のリクライニング度（傾斜角度）を設定する。ここで、リクライニング機構１１９は、上記駆動源１１３ａにより作動するように構成してもよく、上記駆動源１１３ａとは別の電動モータ等の駆動源により作動するように構成してもよい。
【００２４】
着座背部１１７の背後位置には、フレーム１１７ａに取り付けられた支持枠１１７ｂ、１１７ｃ、１１７ｄ、１１７ｉが形成される。これらの支持枠１１７ｂ〜１１７ｄには、ドライヤー３、ポンプスイッチ４などの機器が一時的に保持可能、或いは、取付固定可能に構成される。また、支持枠１１７ｉは、後述する給水ヘッド１６３が取付可能に構成される。さらに、フレーム１１７ａには、介護者等が把持するための左右一対のハンドル軸１１７ｅが後方へ突出するように形成される。また、着座背部１１７の上部位置には、頭部を背後から支持するためのヘッドレスト１１７ｇが着脱可能に取り付けられる。例えば、着座背部１１７の上部位置に露出する一対の取付孔部１１７ｆが設けられ、これらの取付孔部１１７ｆにヘッドレスト１１７ｇの下部から突出するように形成される一対の取付軸１１７ｈが挿入されることで、ヘッドレスト１１７ｇが着座背部１１７の上部位置に固定される。
【００２５】
車いす構成体１１の後部下方には、主車輪１１２ａと連結された車軸部１１１ｃが設けられ、この車軸部１１１ｃに、車軸方向に平行な姿勢となるように連結軸１１１ｄが取り付けられている。なお、後部支持車輪１１１ｅは、車いす構成体１１が後方へ傾斜したときに床面に当接することで車いす構成体１１を倒れないように後方から支持するものである。連結軸１１１ｄには、図２に示すように、連結部材１３１が回転自在に取り付けられ、この連結部材１３１を介して連結台車底板１３２及びこの連結台車底板１３２の後方を取り巻くことで後述する給水タンク１４及び排水タンク１５を保持する保持枠１３３が連結される。連結部材１３１、連結台車底板１３２及び保持枠１３３は、連結台車部１３を構成する。連結台車底板１３２の後端部下側には、後部支持車輪１３４が取り付けられ、これにより、連結台車部１３は台車部１１とともに移動可能となるように構成される。さらに、連結台車部１３は、車いす構成体１１に対して水平方向に伸びる軸線周りに回動自在に連結される。
【００２６】
連結台車部１３（連結部材１３１、連結台車底板１３２及び保持枠１３３）は、図１に二点鎖線で示すように、上記連結軸１１１ｄを中心に図示上方（着座背部１１７の背後）に向けて回動させることにより、コンパクトに格納することができる。ここで、図示しないが、連結台車部１３を格納した際に台車部１１Ａのフレーム１１１や、着座部１１Ｂのフレーム１１６ａ，１１７ａに保持できるようにすることで、連結台車部１３の上記格納態様を維持することができる。
【００２７】
図４及び図５は、本実施形態において、車いす構成体１１の着座部１１Ｂの背後位置に洗髪用ボウル１２を搭載し、また、上記連結台車部１３に給水タンク１４及び排水タンク１５を、給水手段１６及び排水手段１７とともに搭載した様子を示す。洗髪用ボウル１２は、全体として内部に水受け可能な皿状に構成された水受け部１２１を備える。この水受け部１２１は、図示下端に、首部を受け入れるための凹状の外縁部１２１ａを備える（図５参照）。水受け部１２１の底部には排水口１２２が形成され、この排水口１２２には、底面側から上記排水手段１７を構成する排水用可撓性管１７１が接続されている。排水用可撓性管１７１は、先端部１７１ａが排水タンク１５の開口部１５１に接続可能に構成される。また、洗髪用ボウル１２の底面には、雄ねじを備えた突起などで構成される管保持手段１２３が設けられ、この管保持手段１２３に排水用可撓性管１７１の先端部１７１ａを螺合させることで、当該先端部１７１ａを一時的に洗髪用ボウル１２に保持することが可能になっている。
【００２８】
水受け部１２１の底部には、取付枠１２４が固定される。この取付枠１２４は、図５に示すように、底部に固定された左右一対の取付主軸１２４ａと、これらの取付主軸１２４ａの間を連結するとともに、洗髪用ボウル１２の把持用のハンドルを構成するハンドル軸１２４ｂとを含む。取付主軸１２４ａは、水受け部１２１の底部に沿って延在するが、その図示下端部には、水受け部１２１の底部に沿った部分に対して所定角度だけ水受け部１２１の底部から離れる向きに傾斜した装着軸部１２４ｃを備える。装着軸部１２４ｃは、水受け部１２１の図示下端を、台車部１１のフレーム１１１に設けられた支持枠１１１ｂの内側（前方）に挿入したとき、支持枠１１１ｂの外側（後方）に配置されるように構成することが好ましい。特に、図４に示すように、支持枠１１１ｂの前後に水受け部１２１と装着軸部１２４ｃが配置されることで、洗髪用ボウル１２が安定した状態で着座部１１ｂの背後位置に搭載できるように構成することが望ましい。
【００２９】
上記装着軸部１２４ｃは、着座背部１１７から上記ヘッドレスト１１７ｇを取り外したとき、前述の着座背部１１７の取付孔部１１７ｆに挿入可能に構成される。これにより、着座背部１１７の上部位置に洗髪用ボウル１２を取り付け固定することができる。なお、着座背部１１７に対するヘッドレスト１１７ｇや洗髪用ボウル１２の取付構造は、上記構造に限らず、着脱可能な構造であれば、種々の構造を採用できる。
【００３０】
連結台車部１３上に配置された給水タンク１４には、開口部１４１の内部に装着された給水ポンプ１６１と、この給水ポンプ１６１に接続されて開口部１４１から外部へ導出される給水用可撓性管１６２と、この給水用可撓性管１６２の先端部に接続されたシャワーヘッドなどからなる給水ヘッド１６３とを含む給水手段１６が取り付けられる。なお、上記給水ポンプ１６１は、前述のポンプスイッチ４によって起動と停止の操作が可能になっている。
【００３１】
図６に示すように、上述ように装着軸部１２４ｃを着座背部１１７に取り付けることで、洗髪用ボウル１２を着座部１１Ｂの上部位置に装着し、着座部１１Ｂをリクライニング機構１１９によりリクライニングさせることにより、図示のように、洗髪用ボウル１２の水受け部１２１を使用可能な水平姿勢とすることができる。
【００３２】
この状態では、前述の排水手段１７を構成する排水用可撓性管１７１の先端部１７１ａを上記管保持手段１２３から取り外し、排水タンク１５の開口部１５１に接続すると、排水手段１７により、水受け部１２１の排水口１２２から排水タンク１５への排水経路が構成される。そして、給水ポンプ１６１を稼働させることにより、給水タンク１４から水を給水用可撓性管１６２を介して給水ヘッド１６３から供給することで、車いす構成体１１に着座した人（図示せず）の洗髪を行うことができる。なお、給水ポンプ１６１等において加熱機能を設けることにより、洗髪に好適な温水を供給することもできる。このようにして洗髪に使われた水は排水口１２２から排水用可撓性管１７１を経て排水タンク１５に回収される。
【００３３】
以上説明した本実施形態では、洗髪用ボウル１２を搭載し、連結台車部１３に給水タンク１４及び排水タンク１５を搭載した状態で、車いす構成体１１の台車部１１Ａを用いて通常と同様に移動可能に構成できる。また、洗髪用ボウル１２を着座部１１Ｂの上部位置に装着した状態で、着座部１１Ｂを後方へリクライニングさせると、洗髪用ボウル１２を水受け可能な水平姿勢に構成できるので、連結台車部１３に搭載された給水タンク１４から給水手段１６により給水しつつ、排水手段１７により排水タンク１５へ排水することにより、車いす構成体１１に着座した者の洗髪を行うことができる。このように、本実施形態では、理美容サービスに必要な用具を搭載しつつ、容易に移動することができるとともに、車いす構成体に着座した者を後方へリクライニングさせるだけで容易に洗髪可能となるので、任意の場所で支障なく洗髪することができる。
【００３４】
また、洗髪用ボウル１２が着座部１１Ｂの背後に搭載可能に構成されることにより、車いす構造体１１としての機能に何ら影響を与えずに、理美容サービスに必要な各種の機材を搭載して移動可能に構成することができる。さらに、連結台車部１３が台車部１１Ａの背後に連結されていることにより、タンク搭載能力を備えつつ、車いす構成体１１としての機能に何ら影響を与えずに移動できる。
【００３５】
本実施形態では、排水手段１７として、洗髪用ボウル１２の水受け部１２１のボウル底面に形成された排水口１２２に接続された排水用可撓性管１７１を備え、排水用可撓性管１７１の先端部１７１ａは、排水タンク１５に接続可能に構成され、洗髪用ボウル１２には、排水用可撓性管１７１の先端部１７１ａを保持可能な管保持手段１２３をさらに備える。これによれば、洗髪用ボウル１２の排水口１２２に接続された排水用可撓性管１７１の先端部１７１ａを管保持手段１２３により洗髪用ボウル１２に保持することができるので、洗髪用ボウル１２の着脱作業時や排水タンク１５の交換時等において排水用可撓性管１７１の取り扱いを容易化できる。
【００３６】
本実施形態では、給水タンク１４及び排水タンク１５を搭載する連結台車部１３が上方の着座部１１Ｂではなく下方の台車部１１Ａの後方に連結されることで、着座部１１Ｂの安定性（特に前後方向の安定性）を高めることができる。また、台車部１１Ａと連結台車部１３とが車軸方向に平行な軸線（水平軸）周りに回動可能に連結されることにより、車いす構造体１１の機能をほとんど妨げずに移動することができる。さらに、連結台車部１３を上方（着座部１１Ｂの背後）へ回動させて格納可能に構成することにより、車いす構造体１１をそのままで通常の車いすとしても使用することが可能となる。
【００３７】
次に、図７を参照して、本発明に係る第２実施形態について説明する。この第２実施形態の可搬式洗髪器２０は、上記第１実施形態と同様に、車いす構成体２１と、洗髪用ボウル２２と、連結台車部２３と、を具備する。車いす構成体２１は、台車部２１Ａと、この台車部２１Ａ上に搭載された着座部２１Ｂとを有する。台車部２１Ａは、台車フレーム２１１に左右一対の主車輪２１２ａ及び補助車輪２１２ｂを備える。台車部２１Ａは制御部２１３を有し、この制御部２１３により各所への電源供給や駆動部などの制御が行われる。着座部２１Ｂは、着座底部２１６と着座背部２１７とを備える。なお、各部は、以下に説明する本実施形態特有の構成において、特に矛盾や支障がない限り、第１実施形態と同様に構成できる。ただし、車いす構成体２１は、前述のような駆動源を備えた自動走行型ではなく、駆動源を持たない手動型であってもよい。また、本発明の構成上好ましい態様として、着座背部２１７を後方へ傾斜させてリクライニングさせたときに、着座背部２１７の後方への傾斜量が大きくなるに従って、着座底部２１６が上昇する構成、或いは、後方へ倒れる構成が挙げられる。このような構成は、例えば、着座背部２１７に固定されたレバーが着座底部２１６に連結された構造などにより実現できる。このようにすると、洗髪時の頭部位置の低下を抑制（高さを確保）できるため、作業者の腰等への負担を軽減できる。これらの点は、上記第１実施形態においても同様である。
【００３８】
本実施形態では、第１実施形態とは異なり、着座背部２１７の上部ではなく、着座背部２１７の背面に、洗髪用ボウル２２を取り付けるための取付機構２１７Ａが設けられる。取付機構２１７Ａは、着座背部２１７に固定された取付保持枠２１７ａと、この取付保持枠２１７ａに対して着座背部２１７に沿って出没自在かつ固定ねじ２１７ｅの操作により任意の位置で固定可能に装着される左右一対の取付縦軸２１７ｂと、これらの取付縦軸２１７ｂの間に接続された取付横軸２１７ｃと、この取付横軸２１７ｃに取り付けられた取付基体２１７ｄとを有する。この取付機構２１７Ａにより、洗髪用ボウル２２は頭部に対応する上部位置に配置可能に構成される。着座部２１Ｂは、第１実施形態と同様に後方へリクライニング可能に構成されるので、リクライニング動作により着座背部２１７の傾斜動作とともに取付機構２１７Ａにも同じ傾斜動作が生ずる。
【００３９】
この取付基体２１７ｄには、洗髪用ボウル２２の水受け部２２１の背面に設けられた接続部２２４に構成される接続軸２２４ａが軸線方向に出し入れ可能に挿入されている。取付基体２１７ｄは、接続軸２２４ａの挿通方向を水平な軸線周りに回動可能に構成するとともに任意の角度姿勢で固定可能に構成され、これによって、洗髪用ボウル２２の姿勢を上下方向に首振り可能に構成している。接続軸２２４ａをその軸線周りに取付基体２１７ｄに対して回転可能に構成してもよい。また、固定ねじ２１７ｅを緩めて取付縦軸２１７ｂを取付保持枠２１７ａから抜き取ることにより、洗髪用ボウル２２を着座背部２１７から着脱可能に構成される。ここで、接続軸２２４ａを取付基体２１７ｄから抜き取り可能に構成してもよい。なお、この洗髪用ボウル２２にも首部を受け入れるための凹状の外縁部２２１ａが形成されている。また、排水口２２２は、第１実施形態の洗髪用ボウル１２と同様に、排水用可撓性管などを介して水受け部２２１の内部の水を排水可能に構成する。
【００４０】
上記取付機構２１７Ａにより、本実施形態では、任意のリクライニング角度で洗髪用ボウル２２の位置及び姿勢を調整することができるので、洗髪時のリクライニング角度に自由度が生じ、より適切な姿勢で洗髪を行うことができる。また、取付機構２１７Ａは着座背部２１７の背後に取り付けられているため、洗髪ボウル２２をしっかりと保持することができる。
【００４１】
また、本実施形態では、台車部２１Ａの台車フレーム２１１の下方部分に設けられた主車輪２１２ａや補助車輪２１２ｂを軸支するフレーム部である下部支持枠２１１ｃが設けられる。この下部支持枠２１１ｃは、左右方向に伸びる一対のフレーム横軸と、これらのフレーム横軸に対して固定された左右一対の前後方向に伸びるフレーム縦軸とからなる。下部支持枠２１１ｃのフレーム縦軸の二つの後端２１１ｄには、特に限定されるものではないが、平面視コ字形の連結支持枠２３１の二つの脚部２３１ａ，２３１ｂが着脱可能かつ前後方向にスライド可能に取り付けられている。また、下部支持枠２１１ｃの平面範囲の内側には、前後に伸びる内側支持枠２１１ｆが固定されている。特に限定されるものではないが、図示例では、内側支持枠２１１ｆは左右に二本の平行な棒状に構成される。内側支持枠２１１ｆは、下部支持枠２１１ｃに対する固定部分から前方へ延伸する前方支持部２１１ｇと、当該固定部分から後方へ延伸する後方支持部２１１ｈとを有する。内側支持枠２１１ｆを設けることにより、左右の幅方向のサイズに拘わらず、タンクその他の物品を下部支持枠２１１ｃ上に搭載できるように構成される。なお、連結台車部２３は、上記連結支持枠２３１（連結支持体に相当する。）と、上記後方支持部２１１ｈとによって構成される。
【００４２】
本実施形態では、連結支持枠２３１を台車部２１Ａの後部（下部支持枠２１１ｃの後端２１１ｄ）に連結することにより、台車部２１Ａの後方にタンク２４，２５等の物品を搭載することができる。また、この連結支持枠２３１は前後方向にスライド可能に取り付けられているため、タンク２４，２５や他の物品の前後方向のサイズに合わせて調整して用いることが可能である。なお、これらの搭載時においては、内側支持枠２１１ｆの後方支持部２１１ｈが搭載物の形状に応じて補助的に幅方向内側において各物品を支持するように作用する。また、連結支持枠２３１は、上記スライドが可能な範囲内における前後方向の１箇所若しくは複数箇所で位置決め保持が可能となるように構成することもできる。これは、公知の位置決め手段、例えば、下部支持枠２１１ｃと連結支持枠２３１のうちのいずれか一方において出没可能に設けられ、ばね等により突出方向に付勢されたピンと、いずれか他方において当該ピンを挿通可能に形成された開口との組み合わせなどにより、実現できる。
【００４３】
さらに、連結支持枠２３１は、下部支持枠２１１ｃから取り外すこともでき、これにより、上記車いす構造体１１を、通常の車いすとして用いることも可能になる。ここで、図示例のように、連結支持枠２３１を取り外したときの下部支持枠２１１ｃの後端２１１ｄと、内側支持枠２１１ｆの後端とが同じ前後方向の位置に設定されていれば、可搬式洗髪器における連結台車部２３の支持枠部材としての機能を確保しつつ、連結支持枠２３１を取り外したときの後方への突出量を低減できるから、車いすとして使いやすい構成とすることができる。
【００４４】
本実施形態では、内側支持枠２１１ｆの前方支持部２１１ｇにより、台車部２１Ａの内部（主車輪２１２ａと補助車輪２１２ｂの間）にもタンク２６等の物品を収容することができる。なお、上記タンク２４、２５，２６は給水タンクでも排水タンクでもよく、いずれか一方のタンクのみでも構わない。また、タンク以外の他の物品であってもよい。
【００４５】
なお、本発明に係る可搬式洗髪器は、上述の図示例のみに限定されるものではなく、本発明の要旨を逸脱しない範囲内において種々変更を加え得ることは勿論である。例えば、上記実施形態では駆動源１１３ａを備えた自走式（電動式）の車いす構造体１１を用いるが、駆動源を持たない車いす構造体を用いても構わない。また、図示例とは異なるが、台車部１１Ａと連結台車部１３とを回動不能に連結することも可能であり、この場合には、着座部１１Ｂの安定性（前後方向の安定性）をさらに高めることができる。特に、着座部１１Ｂを後方へリクライニングさせたときの安定性は大幅に向上する。
【符号の説明】
【００４６】
１０…可搬式洗髪器、１１…車いす構成体、１１Ａ…台車部、１１１…台車フレーム、１１１ａ…サスペンション、１１１ｂ…支持枠、１１１ｃ…車軸部、１１１ｄ…連結軸、１１１ｅ…後部支持車輪、１１２ａ…主車輪、１１２ｂ…補助車輪、１１３…制御部、１１３ａ…駆動源、１１４…入力コンセント、１１５…出力コンセント、１１Ｂ…着座部、１１６…着座底部、１１６ａ…フレーム、１１７…着座背部、１１７ａ…フレーム、１１７ｂ−１１７ｄ，１１７ｉ…支持枠部、１１７ｅ…ハンドル、１１７ｆ…取付孔部、１１７ｇ…ヘッドレスト、１１７ｈ…取付軸、１１８…アーム支持部、１１９…リクライニング機構、１１Ｃ…操作部、１２…洗髪用ボウル、１２１…水受け部、１２２…排水口、１２３…管保持手段、１２４…取付枠、１２４ａ…取付主軸、１２４ｂ…ハンドル軸、１２４ｃ…装着軸部、１３…連結台車部、１３１…連結部材、１３２…連結台車底板、１３３…保持枠、１３４…後部支持車輪、１４…給水タンク、１４１…開口部、１５…排水タンク、１５１…開口部、１６…給水手段、１７…排水手段、２１Ａ…台車部、２１１ｃ…下部支持枠、２１１ｆ…内側支持枠、２１１ｇ…前方支持部、２１１ｈ…後方支持部、２１７Ａ…取付機構、２３…連結台車部、２３１…連結支持枠
【図１】
2020171678.tif 000003
【図２】
2020171678.tif 000004
【図３】
2020171678.tif 000005
【図４】
2020171678.tif 000006
【図５】
2020171678.tif 000007
【図６】
2020171678.tif 000008
【図７】
2020171678.tif 000009